(57)【要約】【課題】臭気の拡散防止を図れるとともに、微生物含有汚染土中の微生物の働きを活性化させるために十分な空気を微生物含有汚染土中の微生物に供給可能な汚染土浄化装置を提供する。【解決手段】本発明に係る汚染土浄化装置は、汚染土と汚染土中の汚染物質を分解する好気性の微生物とを混ぜた微生物含有汚染土中の微生物に空気を供給して汚染土を浄化する汚染土浄化装置１であって、盛土した微生物含有汚染土（バイオパイル５０）を覆う通気性を有した覆部材(シート２)と、管の内外に貫通する貫通孔４１を備えて微生物含有汚染土中に挿入された有孔管４と、有孔管４の一端に連結されて管内を吸引することによって覆部材の外側の空気を覆部材を通して微生物含有汚染土に供給する吸気手段（ポンプ３）と、吸気手段で吸気された空気を脱臭して排気する脱臭手段（脱臭装置５）と、を備えた。【選択図】図１
2014034028.tif 000002
【特許請求の範囲】
【請求項１】
汚染土と汚染土中の汚染物質を分解する好気性の微生物とを混ぜた微生物含有汚染土中の微生物に空気を供給して汚染土を浄化する汚染土浄化装置であって、
盛土した微生物含有汚染土を覆う通気性を有した覆部材と、管の内外に貫通する貫通孔を備えて微生物含有汚染土中に挿入された有孔管と、有孔管の一端に連結されて管内を吸引することによって覆部材の外側の空気を覆部材を通して微生物含有汚染土に供給する吸気手段と、吸気手段で吸気された空気を脱臭して排気する脱臭手段と、を備えたことを特徴とする汚染土浄化装置。
【発明の詳細な説明】
【技術分野】
【０００１】
本発明は、微生物を含有させた微生物含有汚染土中の微生物に空気を供給して汚染土を浄化する汚染土浄化装置に関する。
【背景技術】
【０００２】
汚染土と汚染土中の汚染物質を分解する好気性の微生物とを混ぜた微生物含有汚染土を作製して当該微生物含有汚染土を盛土し、この盛土した状態の微生物含有汚染土（バイオパイルと呼ばれる）中に管を挿入し、盛土した微生物含有汚染土中の微生物に外部から管を介して空気を供給して微生物の活動を活性化させることにより汚染土を浄化する汚染土浄化装置が知られている。
【先行技術文献】
【特許文献】
【０００３】
【特許文献１】特開２００６−２５５６３３号公報
【発明の概要】
【発明が解決しようとする課題】
【０００４】
上述した汚染土浄化装置のように、盛土した微生物含有汚染土中の微生物に管を介して外部から空気を供給する方法では、盛土した微生物含有汚染土を通過した臭気が外部に拡散しやすいという問題点があった。
本発明は、臭気の拡散防止を図れるとともに、微生物含有汚染土中の微生物の働きを活性化させるために十分な空気を微生物含有汚染土中の微生物に供給可能な汚染土浄化装置を提供する。
【課題を解決するための手段】
【０００５】
本発明に係る汚染土浄化装置は、汚染土と汚染土中の汚染物質を分解する好気性の微生物とを混ぜた微生物含有汚染土中の微生物に空気を供給して汚染土を浄化する汚染土浄化装置であって、盛土した微生物含有汚染土を覆う通気性を有した覆部材と、管の内外に貫通する貫通孔を備えて微生物含有汚染土中に挿入された有孔管と、有孔管の一端に連結されて管内を吸引することによって覆部材の外側の空気を覆部材を通して微生物含有汚染土に供給する吸気手段と、吸気手段で吸気された空気を脱臭して排気する脱臭手段と、を備えたので、臭気の拡散防止を図れるとともに、微生物含有汚染土中の微生物の働きを活性化させるために十分な空気を微生物含有汚染土中の微生物に供給できる。
【図面の簡単な説明】
【０００６】
【図１】汚染土浄化装置の構成を示す図（実施形態１）。
【発明を実施するための形態】
【０００７】
実施形態１
図１に示すように、汚染土浄化装置１は、盛土された状態の微生物含有汚染土（以下、バイオパイルという）５０を覆う覆部材としてのシート２と、吸気手段としてのポンプ３と、管の他端４５側がバイオパイル５０中に設置され管の一端４６の開口がポンプ３の吸込口３１に連結された有孔管４と、ポンプ３の吐出口３２と連結されてポンプ３の吐出口３２を介して送られてくる空気を脱臭して外部に排出する脱臭手段としての脱臭装置５とを備える。
【０００８】
バイオパイル５０は、汚染土と汚染土中の汚染物質を分解する好気性の微生物とが混合された微生物含有汚染土を盛土して構成される。例えば燃料系油分（ジェット燃料、ガソリン、軽油、重油等）や機械油（潤滑油等）で汚染された汚染土と油分を分解する分解菌（例えば石油分解菌）と栄養塩や堆肥等とが図外の土壌混練り装置で混練された微生物含有汚染土を盛土して構成される。
【０００９】
シート２は、通気性を有した構成のシートである。例えば、空気を通過させるが、雨水を通し難いように構成されたシートである。例えば、通気性と防水性とを兼ね備えたポリエチレン極細繊維不織布により形成された中層シートの両面に不織布により形成された補強シートを備えた通気性及び防水性を有したシートを用いる。このようなシート２を用いてバイオパイル５０を覆い、ポンプ３を駆動して有孔管４内を吸気した場合に、シート２の外側からシート２を形成する不織布の通気孔を介してシート２の面のどの位置からでもバイオパイル５０内に空気が入るので、バイオパイル５０中の微生物の活性化に必要な十分な空気をバイオパイル５０中の微生物に常時供給することが可能となる。従って、バイオパイル５０中の微生物が活性化してバイオパイル５０中の汚染物質の分解が促進され、汚染土の浄化が促進される。
【００１０】
有孔管４は、管の他端４５側の管壁に、管の内外に貫通する複数の貫通孔４１；４１…により形成された吸気部４０を備える。有孔管４は、管の他端４５側に設けられた当該吸気部４０がバイオパイル５０中に設置されるとともに管の一端４６の開口がポンプ３の吸込口３１に連通可能に連結される。
尚、有孔管４は、連続する１本の管により形成しても良いが、管の管壁全体に管の内外に貫通する複数の貫通孔４１が形成されてバイオパイル５０中に設置される吸気部４０を形成する吸気部専用管４２と、管の他端４７の開口と吸気部専用管４２の一端４８の開口とが連結具４９で連通可能に連結されて管の一端４６がポンプ３の吸込口３１に連結された接続管４３とを別々に備えた構成とすることが好ましい。このように別々の吸気部専用管４２と接続管４３とを接続して有孔管４を形成するようにすれば、複数のバイオパイル５０を形成する場合において、各バイオパイル５０；５０…中に個々に吸気部専用管４２を設置して、これら複数の吸気部専用管４２；４２…を接続管４３を介して１つのポンプ３の吸込口３１に連通可能に接続できるようになる。尚、１つ１つのバイオパイル５０毎に、それぞれ有孔管４、ポンプ３、脱臭装置５を設けるようにしてもよい。
また、上述した吸気部専用管４２を用いた場合、自由な形状の吸気部専用管４２を構成できる。例えば複数に分岐された吸気部専用管４２や環状に形成された吸気部専用管４２を構成でき、貫通孔４１の数を多くできて吸気性能に優れた吸気部４０を構成できる。
【００１１】
ポンプ３は、吸込口３１が有孔管４の一端４６に連結されて有孔管４の管内を吸引することによってシート２の外側の空気をシート２を通してバイオパイル５０に供給するとともに、吐出口３２と脱臭装置５の入口５１とが接続管３５によって連通可能に連結される。
また、ポンプ３で有孔管４の管内を吸引することにより、シート２の外側からシート２、バイオパイル５０、有孔管４の管内に向かう空気流が形成されるので、バイオパイル５０からシート２の外側に向かう空気流によってバイオパイル５０の臭気が外部に拡散されることを防止できる。
【００１２】
脱臭装置５は、ポンプ３による吸引によって、シート２の外側、シート２、バイオパイル５０、吸気部４０、有孔管４内、ポンプ３を通して送られてくる空気を脱臭して排気する装置である。脱臭装置５により脱臭された空気は、脱臭装置５の排出口５２に連通可能に連結された排出管５３を介して外部に排気される。
【００１３】
実施形態１の汚染土浄化装置１の構築方法について説明する。
汚染土壌を掘削して採取した汚染土と汚染土中の汚染物質を分解する好気性の微生物等とを混練して汚染土と好気性の微生物とが混合された微生物含有汚染土を作製する。バイオパイル５０を構築する予定の地面１０に敷設したシート１１の上、又は、当該地面１０の上に、例えば吸気部４０を形成する吸気部専用管４２を設置する。この吸気部専用管４２を覆うように、微生物含有汚染土を盛土して、バイオパイル５０を構築する予定のシート１１の上、又はバイオパイル５０を構築する予定の地面１０の上に、バイオパイル５０を構築する。吸気部専用管４２に接続管４３を接続し、バイオパイル５０にシート２を被せてバイオパイル５０を覆う。接続管４３をポンプ３に接続するとともにポンプ３と脱臭装置５とを接続する。
【００１４】
以上のように、汚染土浄化装置１を構築した後、ポンプ３を駆動することにより、シート２の外側の空気がシート２を通過してバイオパイル５０内に供給された後、吸気部４０を介して有孔管４内、ポンプ３内を経由して脱臭装置５に送られ、脱臭後の空気が外部に排出される。
【００１５】
実施形態の汚染土浄化装置１によれば、バイオパイル５０中に有孔管４の吸気部４０を設置し、バイオパイル５０を通気性を有したシート２で覆った構成を備え、ポンプ３で有孔管４内を吸気することにより、シート２の外の空気が通気性を有したシート２を通過してバイオパイル５０内に供給されるので、バイオパイル５０中の微生物の活動の活性化に必要な十分な空気をバイオパイル５０中の微生物に常時供給することが可能となり、バイオパイル５０中の微生物の活動が活性化してバイオパイル５０中の汚染物質の分解が促進され、汚染土の浄化が促進される。
また、ポンプ３で有孔管４内を吸引することによって、シート２の外側からシート２、バイオパイル５０、有孔管４の管内に向かう空気流が形成されるので、臭気がシート２を介して外部に拡散されることが抑制されるとともに、汚染土の飛散や流出を防止でき、さらに、ポンプ３で吸引された臭気が脱臭装置５により脱臭されて外部に排出されるので、臭気の拡散防止効果に優れた浄化装置１を提供できる。
また、バイオパイル５０を防水性を有したシート２で覆ったので、バイオパイル５０への雨水の浸入を抑制でき、雨水による有害物質の漏洩を抑制できる。
【００１６】
尚、シート２は、通気性を有するので、完全防水機能を有しているわけではない。従って、シート２の防水性能としては、雨水による有害物質の漏洩を抑制できる程度の防水性能を有したものを用いればよい。例えば、バイオパイル５０の状況によっては、バイオパイル５０に適度な水分補給が必要な場合がある。従って、バイオパイル５０の状況に応じて、有害物質を漏洩させない程度の適度な量の雨水がバイオパイル５０に供給されるような透水性を有したシートを覆部材としても用いても良い。例えば、覆部材として遮蔽シートに微細な孔を形成した有孔シートを用いてもよい。即ち、バイオパイル５０の状況によって、適した透水性のシートを選択して用いるようにすればよい。
【符号の説明】
【００１７】
１  汚染土浄化装置、２  シート（覆部材）、３  ポンプ（吸気手段）、４  有孔管、５  脱臭装置（脱臭手段）、４１  貫通孔、
５０  バイオパイル（盛土した微生物含有汚染土）。
【図１】
2014034028.tif 000003